(57)【特許請求の範囲】
【請求項１】
外部容器体と、
その外部容器体に収納されるとともに、植物を配置する内部空間を有する内部容器体と、
その内部容器体の内部空間にある余剰水を排出するため、その内部容器体に配設された排水口と、
その排水口の周辺に余剰水を集めるため、前記内部容器体の底面を上下させて、その内部容器体の底面の傾斜角を調節する調節部材とを備えたことを特徴とする植栽用容器。
【請求項２】
前記内部容器体は、その内部容器体に隣接配置される別の内部容器体と連通する連通口を備え、
前記調節部材は、その連通口から流入する前記別の内部容器体の余剰水を前記排水口の周辺に集めるため、前記内部容器体の底面を上下させて、その内部容器体の底面の傾斜角および上下位置を調節可能に形成されていることを特徴とする請求項１記載の植栽用容器。
【発明の詳細な説明】
【０００１】
【発明の属する技術分野】
本発明は、余剰水等の貯留を防止して、余剰水等を垂れ流さずに処理することができる排水調整機構を備えた植栽用容器に関するものである。
【０００２】
【従来の技術】
近年、室内外で植物を栽培する園芸が盛んになっており、植物を栽培するために種々の植栽用のプランタが用いられている。これらのプランタを用いた植物栽培では、植物を健全に育成させるため、特に、プランタ内の余剰水を充分に排水することが重要であり、プランタ内の余剰水を排水する種々の排水方法が知られている。例えば、プランタの底部下面の全面に多数の水抜き穴を穿設して排水する方法がある。この方法によれば、プランタ内の土等に含まれる余剰水は、プランタの底部へ流れ落ちて、かかる多数の水抜き穴から排水される。
【０００３】
また、プランタの底部下面の一部分に排水口を穿設し、その他部分にスペーサ等の台座をかますことにより、プランタの底部を傾斜させて余剰水を排水口へ集め、排水する排水方法もある。この方法によれば、スペーサ等の台座のかまされた部分の高さより、排水口の穿設された部分の高さを低くすることによって、プランタ内の土等に含まれる余剰水は、排水口の周辺へと流れ、排水口から排水される。
【０００４】
【発明が解決しようとする課題】
しかしながら、かかる多数の水抜き穴を有するプランタでは、プランタの底部に多数の水抜き穴が穿設されているので、かかる複数の水抜き穴から余剰水が垂れ流しとなってしまう。このため、かかるプランタを室内に設置して植物を栽培する場合には、プランタの底部の下に水受け用トレーを敷かなければならない。しかし、多数の水抜き穴から排水される余剰水が、水受け用トレーから溢れ出てしまうことがあり、室内を汚したりして、非衛生的であるという問題点があった。また、スペーサ等の台座を用いたプランタでは、プランタの底部にスペーサ等の台座をかますため、プランタ自体が傾斜し、その美観が損なわれてしまうという問題点があった。
【０００５】
本発明は上述した問題点を解決するためになされたものであり、余剰水等の貯留を防止して、余剰水等を垂れ流さずに処理することができる排水調整機構を備えた植栽用容器を提供することを目的としている。
【０００６】
【課題を解決するための手段】
この目的を達成するために請求項１記載の植栽用容器は、外部容器体と、その外部容器体に収納されるとともに、植物を配置する内部空間を有する内部容器体と、その内部容器体の内部空間にある余剰水を排出するため、その内部容器体に配設された排水口と、その排水口の周辺に余剰水を集めるため、前記内部容器体の底面を上下させて、その内部容器体の底面の傾斜角を調節する調節部材とを備えている。
【０００７】
請求項１記載の植栽用容器によれば、外部容器体に収納された内部容器体は、排水口の配設位置に応じて、調節部材により、その底面が上下され、その底面の傾斜角が調節される。よって、傾斜角の調節後、内部容器体の内部空間に植物および土等が配置される。植物の配置後、植物に水等が与えられると、内部容器体の内部空間の土等に水等が浸透するとともに、余剰水は、内部容器体の底面へと流下する。流下した余剰水は、調節部材によって傾斜角が調節された底面に沿って、排水口の周辺に集められ、排水口から内部容器体の外へ排出される。
【０００８】
例えば、かかる植栽用容器を建物の室内壁面等に設置するような場合には、内部容器体に配設された排水口のうち、いずれか１の排水口を建物の室内壁内部に配管された排水管の配管位置に応じて選定し、この１の排水口を排水管に継合するとともに、他の排水口を閉塞する。排水口の継合後、かかる１の排水口の配設位置に対応させて、内部容器体の底面を調節部材により傾斜させると、かかる１の排水口の周辺に余剰水が集められ、その１の排水口から余剰水が排出されるのである。
【０００９】
請求項２記載の植栽用容器は、請求項１記載の植栽用容器において、前記内部容器体は、その内部容器体に隣接配置される別の内部容器体と連通する連通口を備え、前記調節部材は、その連通口から流入する前記別の内部容器体の余剰水を前記排水口の周辺に集めるため、前記内部容器体の底面を上下させて、その内部容器体の底面の傾斜角および上下位置を調節可能に形成されている。
【００１０】
請求項２記載の植栽用容器によれば、請求項１記載の植栽用容器と同様に作用する上、調節部材によって、内部容器体の底面の傾斜角および上下位置を調節することにより、内部容器体とそれに隣接配置される別の内部容器体とが連通口によって連通される。よって、１の内部容器体の余剰水が連通口を介して別の内部容器体へ流入し、その内部容器体に配設された排水口から排出される。このため、内部容器体を複数個隣接して配置し、そのうち１の内部容器体に排水口を配設すれば、その排水口から余剰水を集中的に排出することができる。
【００１１】
【００１２】
【００１３】
【００１４】
【発明の実施の形態】
以下、本発明の好ましい実施例について、添付図面を参照して説明する。図１は、本発明の植栽用容器の一実施例であるプランタユニット１の配設された施工壁３の斜視断面図であり、図２は、図１のプランタユニット１の部分断面図であり、図３は、図２のＩＩＩ−ＩＩＩ線における部分断面図である。図１に示すように、施工壁３の上面には、ガラス窓（図示せず）等を設置するための窓枠３１が配設されている。この窓枠３１の手前側には、長溝状の施工溝３２が凹設されており、プランタユニット１が収納されている。この施工溝３２の内部には排水管（図示せず）が配管されており、この排水管には後述する排水部材２７が継合されている。よって、プランタユニット１内の余剰水を排水部材２７の通水口２７ａから排水管へ排水することができる。
【００１５】
この排水部材２７の継合される排水管は、施工壁３の外部に露出されず、施工溝３２の内部に配管されているので、プランタユニット１や、それが収納される施工壁３の美観を維持することができる。また、かかるプランタユニット１は、施工溝３２に収納され施工壁３に被われており、プランタユニット１に配置される土等の温度変化を低減することができるので、植物を健全に育成することができる。更に、施工壁３の施工溝３２には、建物に使用される断熱材等（図示せず）が配置されているので、かかる建物の断熱材を共用することによりプランタユニット１を断熱することができるので、土等の温度変化を更に低減させることができる。
【００１６】
プランタユニット１は、植物等を栽培するための容器（鉢体）であり、隣接配置される複数のプランタ２と、その複数のプランタ２を連結する継手４と、プランタユニット１の端部分に配置されるプランタ２の端部に取着される端部壁部材５とを備えている。図２に示すように、プランタ２は、植物やそれを栽培するための土等の配置されるプランタ本体２１と、そのプランタ本体２１に取着される側壁板２２と、その側壁板２２をプランタ本体２１に取着する調節金具２３と、水切り板２４と、プランタ本体２１の右下側面に固着される排水部材２７とを備えている。
【００１７】
プランタ本体２１は、耐腐食性を有するステンレス鋼材等の薄板材で構成され略Ｕ字形に形成されており、その上方が植物および土等を配置するために開放されている。プランタ本体２１の左側上部には、プランタ本体２１を施工壁３に取り付けるための取付ステー２１ａが設けられている。この取付ステー２１ａは、固定ねじ２８によって、施工壁３の上面に固定されており、図１に示すように、固定ねじ２８は、各プランタ本体２１の取付ステー２１ａの長手方向両端部分にそれぞれ取り付けられている。
【００１８】
図２に示すように、取付ステー２１ａの下方には、傾斜ステー２１ｂがプランタ本体２１の左側壁から右下方向へ突出して固着されており、後述する上部空間２５の底面の一部として構成されている。傾斜ステー２１ｂの下方のプランタ本体２１の底面には、傾斜部２１ｃと、底部２１ｄとが形成されている。傾斜部２１ｃは、プランタ本体２１の左側壁の下端部から右下方向へ傾斜するように形成されており、底部２１ｄは、プランタ本体２１の底面の右側部分に略水平な状態で形成されている。よって、後述する上部空間２５の内部から落下した余剰水は、傾斜部２１ｃに沿って矢印Ｂ方向へ流れ、底部２１ｄに収集される。
【００１９】
底部２１ｄの右端部分であって、プランタ本体２１の右側壁の下端部分には、排水口２１ｅが穿設されている。よって、底部２１ｄに収集された余剰水は、かかる排水口２１ｅから後述する排水部材２７へと流入し（矢印Ｃ方向）、排水部材２７の通水口２７ａを通過して、施工壁３の施工溝３２に配管された排水管へ排水される。尚、排水口２１ｅは、施工溝３に配管された排水管の位置等に応じて、所望の位置に穿設することができる。例えば、図２に示すように、２点鎖線で図示された位置に排水口を穿設して、排水部材を固着しても良い。
【００２０】
プランタ本体２１の右側壁の上部分には、調節穴２１ｆが穿設されている。この調節穴２１ｆは、長穴状に形成されており（図３参照）、この調節穴２１ｆに取り付けられる調節金具２３に対して、プランタ本体２１の右側壁を上下方向へスライドさせることができる。また、図１および図３に示すように、調節穴２１ｆは、調節金具２３に対応して穿設されており、各プランタ本体２１の右側壁に２箇所ずつ穿設されている。よって、この調節穴２１ｆに取り付けられた調節金具２３の締結位置を調節することにより、プランタ本体２１の底面の上下位置および傾斜角度を調節することができる（図１および図３参照）。
【００２１】
図２に示すように、プランタ本体２１の右側壁の上部分には、調節金具２３によって側壁板２２が取着されている。側壁板２２は、プランタ本体２１と同様に、耐腐食性を有するステンレス鋼材等の薄板材で構成されており、その上端部分には、側壁板２２を施工壁３に取り付けるための取付ステー２２ａが設けられている。この取付ステー２２ａは、固定ねじ２８によって、施工壁３の上面に固定されており、図１に示すように、固定ねじ２８は、各プランタ２の取付ステー２２ａの長手方向両端部分にそれぞれ取り付けられている。
【００２２】
取付ステー２２ａの下方には、通穴２２ｃが穿設されており、この通穴２２ｃには、調節金具２３のボルト２３ａが通されている。この通穴２２ｃと調節穴２１ｆとに調節金具２３のボルト２３ａが通し、その先端部分にナット２３ａを螺合させることにより、プランタ本体２１に側壁板２２を取着することができる。また、側壁板２２の下端部分には、傾斜部２２ｂが形成されており、傾斜部２２ｂは、プランタ本体２１の右側壁から左下方向へ突出して固着され、後述する上部空間２５の底面の一部として構成されている。
【００２３】
調節金具２３は、プランタ本体２１に側壁板２２を取着するためのものであり、ボルト２３ａおよびナット２３ｂで構成されている。このボルト２３ａは、連通する通穴２２ｃと調節穴２１ｆとにそれぞれ通されており、かかるボルト２３ａの先端部分には、ナット２３ｂが螺合されている。このように、ボルト２３ａにナット２３ｂを螺合させ締め付けることにより、プランタ本体２１と側壁板２２とが締結される。また、ボルト２３ａが通される調節穴２１ｆは、長穴状に形成されているので（図３参照）、ナット２３ｂを緩めると、プランタ本体２１の右側壁が側壁板２２に対して相対的に上下方向へスライド可能となる。例えば、調節金具２３のナット２３ａを緩め、プランタ本体２１の右側壁を下方向へスライドさせると、プランタ本体２１が弾性変形して、プランタ本体２１の底面が下方向へ傾斜する。このようにプランタ本体２１を弾性変形させたまま、再度ナット２３ａを締め付けると、プランタ本体２１の底面の傾斜部２１ｃおよび底部２１ｄの上下位置および傾斜角度を変更し調節することができる。
【００２４】
例えば、図３に示すように、各調節金具２３によって、各プランタ本体２１の底面を右下側へ傾斜させることにより、各プランタ２の右側部分にある余剰水が、矢印Ａ方向へ流れ、その左端部分に収集することができる。また、各調節金具２３によって、各プランタ本体２１の底面の上下位置を調節することにより、排水口２１ｅの穿設されたプランタ本体２１（図３右側）の底面の上下位置を、それより左側に配設されたプランタ本体２（図３左側）の底面の上下位置と比較して低くすることができる。よって、排水口２１ｅの穿設されていないプランタ２の余剰水を矢印Ａ方向へ流して、排水口２１ｅの穿設されているプランタ本体２へ流入させることができる。従って、プランタユニット１の各プランタ２内の余剰水を、排水口２１ｅの周辺に収集して、排水口２１ｅから排水することができる。
【００２５】
水切り板２４は、耐腐食性を有するステンレス鋼材等の金属材料等で構成された板状体であり、図１に示すように、その上面には、複数の通孔２４ａが穿設されている。図２に示すように、水切り板２４の両端部は、プランタ本体２１の傾斜ステー２１ｂおよび側壁板２２の傾斜部２２ｂによって支持されており、後述する上部空間２５の底面の一部として構成されている。尚、図１では、一部の通孔２４ａを省略して図示している。
【００２６】
プランタユニット１の各プランタ２は、植物を栽培するための土等が配置され植物が植えられる上部空間２５と、その下方に形成された下部空間２６の２重構造とを有している。この上部空間２５および下部空間２６のそれぞれは、上述したプランタ本体２１の傾斜ステー２１ｂと、側壁板２２の傾斜部２２ｂと、水切り板２４（以下、「水切り板２４等」という）とによって仕切られるとともに、水切り板２４等は、上部空間２５の底面を構成している。このように上部空間２５の底面を形成することにより、図２の左右方向における、上部空間２５の底面の深さの差を少なくすることができるので、上部空間２５に配置される土等の量の差を少なくすることができる。よって、その分、上部空間２５の深さを平均して深く形成することができる。また、この上部空間２５の底面を構成する水切り板２４は、傾斜ステー２１ｂおよび傾斜部２２ｂによってその両側が支持されているので、別途、水切り板２４を支持するための部材を設けることなく、単に、傾斜ステー２１ｂおよび傾斜部２２ｂ上に載置するだけで、プランタユニット１に取着することができる。
【００２７】
この上部空間２５の底面を構成する傾斜ステー２１ｂおよび傾斜部２２ｂは、上部空間２５の底面の略中央部分に配設された水切り板２４へ向かって傾斜しているので、土等の内部に含まれる余剰水は、水切り板２４の周辺に収集される。また、かかる水切り板２４には、複数の通孔２４ａが穿設されているので、水切り板２４の周辺に収集された余剰水を下部空間２６へ排水することができる。よって、上部空間２５における余剰水の貯留が防止されるので、植物の根腐れを防止することができる。尚、プランタユニット１を用いて植物を栽培しない場合には、プランタユニット１の上部空間２５を蓋体等を用いて閉鎖することも可能である。
【００２８】
下部空間２６は、上部空間２５の下方に形成されており、水切り板等によって上部空間２５と仕切られている。上部空間２５から下部空間２６に落下した余剰水は、プランタ本体２１の底面の傾斜部２１ｃを介して、底部２１ｄへと収集され、排水口２１ｅから排水される。よって、下部空間２６における余剰水の貯留が防止されるので、下部空間２６から余剰水が溢れて、上部空間２５に配置された植物の根が水に浸かることを防止できる。よって、植物の根腐れが防止されるので、植物を健全に育成することができる。
【００２９】
排水部材２７は、プランタ本体２１の底部２１ｄに収集された余剰水をプランタ本体２１の外部へ排水するためのものであり、鋼材等により管状体に形成されている。排水部材２７には、排水口２１ｅと連通する通水口２７ａが穿設されており、排水口２１ｅへ流入した余剰水は、かかる通水口２７ａを通過して、排水管（図示せず）へ排水される。
【００３０】
この排水部材２７の一端部は、プランタ本体２１の右下側面に固着されており、この固着部分は、シリコン樹脂等で構成された防水部材２９によって防水処理が施されている。また、排水部材２７の他端部は、施工壁３の施工溝３２に配管された排水管に継合されており、この継合部分も同様に、シリコン樹脂等で構成された防水部材２９によって、防水処理が施されている。よって、プランタユニット１の内部にある余剰水の漏水を防止することができる。尚、防水部材２９には、パッキン等の密封部材を用いても良い。
【００３１】
図１に示すように、継手４は、隣接配置された各プランタ２を連結するものであり、弾性を有する鋼材等で構成された薄板状体を略Ｕ字形に折り曲げて形成されている。この継手４は、各プランタ２に当接されつつ、複数の止め金具４ａによって、各プランタ本体２１に取着されている。また、各プランタ２の連結部分（連通口）には、シリコン樹脂等の防水部材（図示せず）による防水処理が施されている。よって、プランタユニット１の内部にある余剰水が、各プランタ２の連結部分から流出することを防止することができる。
【００３２】
尚、図２では、継手４を省略して図示している。また、隣接配置された各プランタ２を連結する場合に、かかる継手４を使用することなく、隣接するプランタ２の端部分を相互に重ね合わせ、その重ね合わされた部分を、止め金具４ａによって締結し、各プランタ２を連結しても良い。
【００３３】
図１および図３に示すように、端部壁部材５は、プランタユニット１の両端部分を塞ぐためのものであり、耐腐食性を有するステンレス鋼材等の薄板材で構成されている。この端部壁部材５は、複数の止め金具４ａによって、プランタユニット１の両端部に配置されるプランタ２の端部にそれぞれ取着されている。この端部壁部材５とプランタ２との連結部分には、シリコン樹脂等の防水部材（図示せず）による防水処理が施されている。よって、各プランタ２の連結部分と同様に、プランタユニット１の内部にある余剰水が、端部壁部材５とプランタ２との連結部分から流出することを防止することができる。また、端部壁部材５の下方端部には、曲面部５ａが形成されている。図３に示すように、曲面部５ａは、プランタ本体２１の底面に連設されており、曲面部５ａの周辺に収集された余剰水を排水口２１ｅへと導くことができるので、かかる余剰水が下部空間２６の右端部分に貯留することを防止することができる。
【００３４】
尚、止め金具４ａには、ネジ止め等に使用されるネジや、「かしめ」等に使用されるリベットが用いられている。また、プランタ２を単体で使用する場合には、プランタ２の長手方向両端部のそれぞれに端部壁部材５を取着すれば良い。また、プランタ２と各端部壁部材５とを一体成形しても良い。このプランタ２と各端部壁部材５とが一体成形された植栽用容器は、単体での使用が可能である。しかし、これを複数個隣接配置して使用する場合には、各端部壁部材５に連通口をそれぞれ設け、その連通口を介して、余剰水を順に隣接する別の植栽用容器へ流して、排水口２１ｅへ導くのである。また、かかる単体で使用可能な植栽用容器は、その底面の数箇所、例えば、植栽用容器の底面の四隅に排水口２１ｅがそれぞれ設けられている。また、植栽用容器には、少なくとも１つの調節金具２３が取り付けられており、かかる調整金具２３によって、植栽用容器の底面の傾斜角度を調整することができる。調節金具２３により植栽用容器の底面の傾斜角を調節することにより、かかる底面の傾斜方向が変更され、任意の１又は２以上の排水口２１ｅから余剰水を排出することができる。また、排水に使用されない他の排水口は閉塞すれば、植栽用容器から余剰水が漏出することが防止される。
【００３５】
次に、上述したプランタユニット１の施工方法について説明する。まず、図１に示すように、施工溝３２内に配管される排水管の位置に応じて、複数のプランタ２のプランタ本体２１のうち、いずれか１つに排水口２１ｅが穿設される。その排水口２１ｅの穿設されたプランタ本体２１に排水部材２７を固着しつつ、排水口２１ｅと通水口２７ａとを連通させて、防水部材２９によりプランタ本体と排水部材２７との固着部分に防水処理を施す。その後、各継手４が各プランタ２の連結部分に取り付けられ、止め金具４ａによって各プランタ２のプランタ本体２１に取着される。一方、各端部壁部材５は、止め金具４ａによってプランタユニット１の両端部に配置されるプランタ２の端部に取着される。
【００３６】
継手４および各端部壁部材５がプランタユニット１に取着された後、防水部材による防水処理が各連結部分に施される。その後、図３に示すように、排水口２１ｅの周辺に余剰水を収集するために、各調節金具２３によって、各プランタ２のプランタ本体２１の底面の傾斜角度および上下位置が調節されて、各調節金具２３が締め付けられ締結位置が固定される。各プランタ本体２１の底面の傾斜角度および上下位置が調節された後、防水部材を介して排水部材２７を施工溝３１内の排水管に継合させて、プランタユニット１を施工溝３２に収納する。プランタユニット１の収納後、固定ネジ２８によって、取付ステー２１ａ，２２ａを施工壁３の上面に固定し、水切り板２４を各プランタ２にそれぞれ設置して、プランタユニット１の施工が完了する。
【００３７】
次に、上述したプランタユニット１の使用方法について説明する。まず、図２に示すように、プランタユニット１の各プランタ２における上部空間２５に、植物の栽培用の土等を配置し、その上部空間２５の土等に植物を植える。かかる植物に水が与えられると、余分な水（余剰水）等が、上部空間２５の土等の中を流れて、水切り板２４の複数の通孔２４ａから下部空間２６へ流れ落ちる。一方、上部空間２５の土等の中を流下した一部の余剰水は、傾斜ステー２１ｂおよび傾斜部２２ｂに到達する。かかる余剰水は、傾斜ステー２１ｂおよび傾斜部２２ｂの傾斜面に沿って、水切り板２４の周辺へと流れ、複数の通孔２４ａから下部空間２６へ流れ落ちる。下部空間２６へ流れ落ちた余剰水は、プランタ本体２１の底面の傾斜部２１ｃ及び傾斜された底部２１ｄを伝って、矢印ＢおよびＡ方向へ流れ、排水口２１ｅの周辺の底部２１ｄに収集される。このように排水口２１ｅの周辺に収集された余剰水は、矢印Ｃ方向へと流れ、排水部材２７の通水口２７ａを通過して、施工溝３２内に配管された排水管へと排水される。よって、上部空間２５における余剰水の貯留が防止されるので、植物の根腐れを防止することができる。
【００３８】
次に、図４を参照して、第２実施例について説明する。第２実施例のプランタユニット１１は、上述した第１実施例のプランタユニット１におけるプランタ本体２１と、側壁板２２とを変更したものである。以下、第１実施例と同一の部分には、同一の番号を付してその説明は省略し、異なる部分のみを説明する。
【００３９】
図４は、プランタユニット１１の断面図である。図４に示すように、プランタユニット１１は、施工壁３の壁面に配設されている。施工壁３には、施工穴３３が穿設されており、この施工穴３３には、排水部材２７が内嵌されている。また、かかる排水部材２７の左端部分は、施工壁３の内部に配管された排水管（図示せず）に継合されている。よって、プランタユニット１１内の余剰水を排水口２１ｅおよび排水部材２７の通水口２７ａを通過させて、排水管へ排水することができる。
【００４０】
プランタ１２は、植物やそれを栽培するための土等を配置するためのプランタ本体１２１と、そのプランタ本体１２１が収納される本体収納体１２２と、プランタ本体１２１の内部底面に傾斜面を形成するための傾斜部材１３と、水切り板２４と、プランタ本体２１の右下側面に固着される排水部材２７とを備えている。プランタ本体１２１は耐腐食性を有するステンレス鋼材等の薄板材で構成され略Ｕ字形に形成されており、その上方は植物および土等を配置するために開放されている。プランタ本体１２１の右側上部には、プランタ本体１２１を本体収納体１２２に掛止するための取付ステー１２１ａが設けられている。
【００４１】
このプランタ本体１２１は、取付ステー１２１ａの下面と本体収納体１２２の右側壁の上端面とが当接した状態で、本体収納体１２２に収納されている。この本体収納体１２２に収納されたプランタ本体１２１の底面の傾斜角度（図４における前後方向の傾斜角度）は、取付ステー２１ａの下面と本体収納体１２２の右側壁の上端面との間にスペーサ（図示せず）を入れることにより、調節することができる。このように、プランタ本体１２１の底面はスペーサによって傾斜されるが、かかるプランタ本体１２１は本体収納体１２２に収納されているので、そのプランタ本体１２１の底面の傾斜は外部に露出されず、プランタユニット１の美観を維持することができる。
【００４２】
プランタ本体１２１の左右両内側面には、一対の支持板１２１ｂが対向して、突設されている。この一対の支持板１２１ｂは、水切り板２４を支持するためのものであり、プランタ本体１２１に一体成形されている。尚、プランタ本体１２１の底面の傾斜角度を調節するために、第１実施例の調節金具２３を使用しても良い。
【００４３】
本体収納体１２２は、プランタ本体１２１を収納可能に形成されており、プランタユニット１が２重構造となるように構成されている。よって、プランタユニット１に配置される土等の内部の温度変化を低減することができる。また、本体収納体１２２の左側壁の下端部分には、プランタ本体１２１の排水口２１ｅと連通して排水口１２２ｅが穿設されている。この排水口２１ｅ，１２２ｅの内周には排水部材２７の一端部分が挿入されており、排水部材２７の外周面と排水口２１ｅ，１２２ｅの内周面との間には防水部材２９が充填され、防水処理が施されている。また、本体収納体１２２の左側面は、「ネジ止め」や接着剤等により施工壁３の右側面に固着されている。
【００４４】
プランタ本体１２１の内部底面には、傾斜部材１３が配設されている。傾斜部材１３は、断面形状が台形に形成されており、接着剤等によってプランタ本体１２１の底面に接着されている。また、傾斜部材１３とプランタ本体１２１の底面との接着部分には、シリコン樹脂等によって防水処理が施されている。また、傾斜部材１３の上面には、傾斜面１３ａが形成されており、水切り板２４の複数の通孔２４ａから流れ落ちる余剰水は、かかる傾斜面１３ａに沿って矢印Ｄ方向へ流れ、プランタ本体１２１の底部２１ｄへ収集される。この底部２１ｄに収集された余剰水は、プランタ本体２１の右側壁の下方に穿設された排水口２１ｅおよび排水部材２７の通水口２７ａを矢印Ｅ方向へ流れて通過し、プランタ本体２１の外部の排水管へ排水される。尚、水切り板２４と傾斜部材１３とを一体成形しても良い。
【００４５】
かかるプランタユニット１１を使用する場合、プランタユニット１１のプランタ１２における上部空間２５に、植物の栽培用の土等を配置し、その上部空間２５の土等に植物を植える。かかる植物に水が与えられると、余分な水（余剰水）等は、上部空間２５の土等の中を流れて、水切り板２４の複数の通孔２４ａから下部空間２６へ流れ落ちる。水切り板２４の通孔２４ａから下部空間２６へ流れ落ちた余剰水は、プランタ本体２１の底面の傾斜部２１ｃを伝って、矢印Ｄ方向へ流れ、排水口２１ｅの周辺の底部２１ｄに収集される。このように排水口２１ｅの周辺に収集された余剰水は、矢印Ｅ方向へと流れ、排水部材２７の通水口２７ａを通過して、施工壁３内に配管された排水管へと排水される。よって、上部空間２５における余剰水の貯留が防止されるので、植物の根腐れを防止することができる。また、下部空間２６に落下した余剰水は、排水口２１ｅから排水されるので、下部空間２６にある余剰水が上部空間２５に溢れ出ることが防止される。よって、上部空間２５に配置された植物の根の根腐れが防止されるので、植物を健全に育成することができる。
【００４６】
次に、図５を参照して、第３実施例について説明する。第３実施例のプランタユニット１１１は、上述した第２実施例のプランタユニット１１における傾斜部材１３を変更したものである。以下、第２実施例と同一の部分には、同一の番号を付してその説明は省略し、異なる部分のみを説明する。
【００４７】
図５は、プランタユニット１１１の断面図である。図５に示すように、プランタユニット１１１におけるプランタ本体１２１の内部底面には、一対の傾斜部材１１３がそれぞれ配設されている。一対の傾斜部材１１３は、それぞれ断面形状が台形に形成されており、接着剤等によってプランタ本体１２１の底面にそれぞれ接着されている。また、各傾斜部材１３とプランタ本体１２１の底面との接着部分には、シリコン樹脂等によって防水処理が施されている。また、各傾斜部材１１３の上面には、傾斜面１１３ａが形成されており、水切り板２４の複数の通孔２４ａから流れ落ちる余剰水は、かかる傾斜面１１３ａに沿って矢印Ｆ方向および矢印Ｇ方向へ流れて、プランタ本体１２１の底面の略中央部分に設けられた底部２１ｄへ収集される。この底部２１ｄに収集された余剰水は、プランタ本体１２１の右側壁（図５における前後方向の手前側壁）の下方に穿設された排水口２１ｅおよび排水部材２７の通水口２７ａを矢印Ｈ方向へ流れ落ちて、プランタ本体１２１の外部の排水管へ排水される。尚、水切り板２４と各傾斜部材１１３とを一体成形しても良い。
【００４８】
図５に示すように、傾斜部材１１３の形状を変更することにより、プランタ本体１２１の所望の位置に底部２１ｄを設けることができるとともに、かかる底部２１ｄのいずれかの位置に排水口２１ｅを穿設して、排水部材２７を継合することにより、プランタ本体１２１の所望の位置で余剰水を排水することができる。
【００４９】
以上、実施例に基づき本発明を説明したが、本発明は上記実施例に何ら限定されるものではなく、本発明の趣旨を逸脱しない範囲で種々の改良変形が可能であることは容易に推察できるものである。
【００５０】
例えば、本実施例では、余剰水は、排水部材２７から排水管へ排水された。しかし、かかる余剰水の処理方法は必ずしもこれに限られるものではなく、排水部材２７をポンプ等に継合して、余剰水を再度、プランタユニット１の土等に対して散水しても良い。
【００５１】
また、本実施例では、プランタユニット１を用いた植物の栽培に土等を用いた。しかしながらプランタユニット１の使用方法は必ずしもこれに限られるものではなく、水耕栽培やロックウール栽培等にも使用することができる。
【００５２】
また、本実施例では、プランタユニット１を窓枠３２の配設された施工壁３に配設した。しかしながら、かかるプランタユニット１の配設場所は必ずしもこれに限られるものではなく、屋外の外壁面や、台所の周辺や、オフィスの内壁面等に配設しても良い。例えば、屋外の外壁面にプランタユニット１，１１，１１１を配設する場合には、排水口２１ｅに継合される排水部材２７を建造物内部に配管された排水管に継合することにより、プランタ２およびプランタユニット１から余剰水を排水することができる。よって、プランタユニットから余剰水が垂れ流されないので、建造物の外壁の美観を維持することができる。
【００５３】
また、本実施例では、上部空間２５から下部空間２６へ余剰水を落下させるために水切り板２４を用いた。かかる水切り板２４に代替して、網状体や布状体等を用いても良い。即ち、土等の粒子の通過が防止され、余剰水が通過可能なものであれば良い。
【００５４】
また、プランタユニット１の材料としては、アルミやステンレス等の耐腐食性の高い金属材料、または、プラスチックや発泡スチロール等の高分子樹脂等を用いることができる。プランタユニット１に配置される植物に与えられる肥料には、その性状が酸性のものがあるため、プランタユニット１が腐植するのを防止するためである。
【００５５】
また、プランタユニット１１，１１１は、施工壁３の側面に配設されたが、プランタ１と同様に、施工壁３に凹設された施工溝３２に収納しても良い。
【００５６】
【発明の効果】
請求項１記載の植栽用容器によれば、排水口の配設位置に応じて、内部容器体の底面の傾斜角を調節できるので、内部容器体の内部空間の余剰水を排水口の周辺へ集めて、排出することができるという効果がある。よって、植栽用容器の設置環境により、排水口の配設位置が変更されても、内部容器体の底面の傾斜角を排水口の配設位置に応じて変更することにより、余剰水を内部容器体の１又は複数の箇所に配設された排水口から排出することができる。従って、余剰水の垂れ流しを防止して、余剰水を衛生的に処理することができるという効果がある。また、内部容器体の底面は調節部材によって傾斜されるが、かかる内部容器体は外部容器体に収納されているので、その内部容器体の底面の傾斜の様子は外部に露出されず、植栽用容器の美観を維持することができるという効果がある。
【００５７】
請求項２記載の植栽用容器によれば、請求項１記載の植栽用容器の奏する効果に加え、内部容器体の底面の上下位置および傾斜角は調節部材によってそれぞれ調節することができるので、連通口を介して複数の内部容器体を連通させることができる。よって、排水口を各内部容器体にそれぞれ配設することが不要となり、少なくとも内部容器体の１箇所に排水口を配設すれば、各内部容器体の余剰水を集中して排出することができるという効果がある。従って、かかる内部容器体の排水口を排水管等に継合する継合作業を簡素化して、作業コストを低減することができるという効果がある。
【００５８】
【００５９】
【図面の簡単な説明】
【図１】  本発明の植栽用容器の一実施例であるプランタユニットの配設された施工壁の斜視断面図である。
【図２】  図１のプランタユニットの部分断面図である。
【図３】  図２のＩＩＩ−ＩＩＩ線における部分断面図である。
【図４】  第２実施例におけるプランタユニットの断面図である。
【図５】  第３実施例におけるプランタユニットの断面図である。
【符号の説明】
１，１１，１１１              プランタユニット（植栽用容器）
２，１２                      プランタ
３                            施工壁（外部容器体）
４                            継手
５                            端部壁部材
１３，１１３                  傾斜部材
１３ａ，１１３ａ              傾斜面
２１                          プランタ本体（内部容器体）
２１ｅ                        排水口
２１ｆ                        調節穴（調節部材の一部）
２２                          側壁板
２２ｃ                        通穴（調節部材の一部）
２３                          調節金具（調節部材の一部）
２４                          水切り板
２５                          上部空間（内部空間の一部）
２６                          下部空間（内部空間の一部）
２７                          排水部材
３１                          窓枠
３２                          施工溝
１２１                        プランタ本体（容器体）
１２２                        本体収納体（外部容器体）
【図１】
0003748991.tif 000002
【図２】
0003748991.tif 000003
【図３】
0003748991.tif 000004
【図４】
0003748991.tif 000005
【図５】
0003748991.tif 000006